(57)【要約】【課題】データレコーダとして使用可能な携帯電話装置を提供する。【解決手段】携帯電話装置２００は、カメラ装置２０５と、ＧＰＳ衛星システムを用いて自己の位置を測位するＧＰＳ測位装置２０６と、加速度センサ２０８と、中央演算処理装置２０１と、を備えている。中央演算処理装置２０１は、カメラ装置２０５により撮像された画像データとＧＰＳ測位装置２０６により得られた自己の測位位置のデータを外部メモリ２１４に保存し、加速度センサ２０８により検出された加速度が閾値よりも大きい場合、データの外部メモリ２１４への保存を中止する。【選択図】図２
2008236385.tif 000002
【特許請求の範囲】
【請求項１】
静止画像及び動的画像を撮影するカメラ装置、ＧＰＳ衛星システムを用いて自己の位置を測位するＧＰＳ測位装置及び短距離無線通信装置の中の少なくとも一つと、
加速度センサと、
中央演算処理装置と、
データを外部メモリに記憶させる外部メモリインターフェイスと、
を少なくとも備える携帯端末装置であって、
前記中央演算処理装置は、前記カメラ装置により撮像された静止画像または動的画像のデータ、前記ＧＰＳ測位装置により得られた自己の測位位置のデータ、前記短距離無線通信装置を介して送受信したデータの少なくとも一つを前記外部メモリインターフェイスを介して外部メモリに保存させ、
前記中央演算処理装置は、前記加速度センサにより検出された加速度が予め定められた閾値と等しいか、または、前記閾値よりも大きい場合、または、前記携帯端末装置のユーザからその旨の指令を受信した場合には、前記データの前記外部メモリへの保存を中止するものである携帯端末装置。
【請求項２】
前記外部メモリインターフェイスは一定時間分の前記データを前記外部メモリに保存し、前記一定時間分のデータを超過したデータに関しては、古いデータから順に新しいデータで上書きするものであることを特徴とする請求項１に記載の携帯端末装置。
【請求項３】
前記中央演算処理装置は、前記カメラ装置により撮像された静止画像または動的画像のデータを、それらの画像が撮像された時刻とともに、前記外部メモリに保存するものであることを特徴とする請求項１または２に記載の携帯端末装置。
【請求項４】
前記携帯端末装置は携帯電話装置からなるものであることを特徴とする請求項１乃至３の何れか一項に記載の携帯端末装置。
【請求項５】
静止画像及び動的画像を撮影するカメラ装置、ＧＰＳ衛星システムを用いて自己の位置を測位するＧＰＳ測位装置及び短距離無線通信装置の中の少なくとも一つと、加速度センサと、を備える携帯端末装置をデータレコーダとして使用する方法であって、
前記カメラ装置により撮像された静止画像または動的画像のデータ、前記ＧＰＳ測位装置により得られた自己の測位位置のデータ、前記短距離無線通信装置を介して送受信したデータの少なくとも一つを外部メモリに保存させる第一の過程と、
前記加速度センサにより検出された加速度が予め定められた閾値と等しいか、または、前記閾値よりも大きい場合、または、前記携帯端末装置のユーザからその旨の指令を発信した場合には、前記データの前記外部メモリへの保存を中止する第二の過程と、
を備える携帯端末装置をデータレコーダとして使用する方法。
【請求項６】
前記第一の過程において、前記外部メモリには一定時間分の前記データが保存され、前記一定時間分のデータを超過したデータに関しては、古いデータから順に新しいデータで上書きされるものであることを特徴とする請求項５に記載の携帯端末装置をデータレコーダとして使用する方法。
【請求項７】
前記第一の過程において、前記カメラ装置により撮像された静止画像または動的画像のデータは、それらの画像が撮像された時刻とともに、前記外部メモリに保存されるものであることを特徴とする請求項５または６に記載の携帯端末装置をデータレコーダとして使用する方法。
【請求項８】
静止画像及び動的画像を撮影するカメラ装置、ＧＰＳ衛星システムを用いて自己の位置を測位するＧＰＳ測位装置及び短距離無線通信装置の中の少なくとも一つと、加速度センサと、を備える携帯端末装置をデータレコーダとして使用する方法をコンピュータに実行させるためのプログラムであって、
前記プログラムが行う処理は、
前記カメラ装置により撮像された静止画像または動的画像のデータ、前記ＧＰＳ測位装置により得られた自己の測位位置のデータ、前記短距離無線通信装置を介して送受信したデータの少なくとも一つを外部メモリに保存させる第一の処理と、
前記加速度センサにより検出された加速度が予め定められた閾値と等しいか、または、前記閾値よりも大きい場合、または、前記携帯端末装置のユーザからその旨の指令を発信した場合には、前記データの前記外部メモリへの保存を中止する第二の処理と、
からなるものであるプログラム。
【発明の詳細な説明】
【技術分野】
【０００１】
本発明は携帯端末装置に関し、より詳細には、周辺の情報を収集する機能を有する携帯端末装置に関する。
【背景技術】
【０００２】
例えば、航空機業界においては、従来から、事故原因の究明のために、飛行状態やコクピット内の音声や交信内容を記録するフライトレコーダを飛行機に搭載することが進められている。
【０００３】
また、自動車業界においても、近年、飛行機におけるフライトレコーダと同様に、事故原因の究明のための車載器として前方に向けて取り付けたカメラによる映像情報、ＧＰＳによる位置情報、加速度、速度及び方向指示器などの情報を事故前後の一定時間記録するドライブレコーダの装着が開始されている。
【０００４】
例えば、特開２００６−２４５８３６号公報は、ドライブレコーダとして使用可能なカメラ付き携帯電話機を提案している。
【０００５】
このカメラ付き携帯電話機には自動車への取り付け機構が設けられており、この取り付け機構を介して自動車に取り付けることができるようになっている。このカメラ付き携帯電話機は、自動車から車速信号と衝撃検知信号とを受信する機能と、連続的に動画を撮影し、撮影された画像をエンドレスでメモリに記憶する機能とを有している。カメラ付き携帯電話機が自動車に対する衝撃を検知すると、動画のデータを補助記憶媒体内の所定のファイルに格納し、保存期間を設定して、その保存期間中はそのファイルを保存する。
【特許文献１】特開２００６−２４５８３６号公報
【発明の開示】
【発明が解決しようとする課題】
【０００６】
しかしながら、飛行機や自動車の事故のみならず、普段の日常生活においても種々のトラブルが発生するため、それらのトラブルの原因を究明するための画像データまたは音声データを保存しておくことができれば、それに越したことはない。
【０００７】
上記公報において提案されているカメラ付き携帯電話機は特に自動車専用に開発されたものであり、必ずしも、日常生活における種々のデータを保存することに適したものではない。
【０００８】
本発明は、このような点に鑑みてなされたものであり、普段身近に持ち歩いている携帯電話機その他の携帯端末装置に対してデータレコーダ機能を搭載し、ユーザの前方向あるいはユーザを中心とする周辺の情報を収集し、保存することができる携帯端末装置を提供することを目的とする。
【課題を解決するための手段】
【０００９】
上記の目的を達成するため、本発明は、静止画像及び動的画像を撮影するカメラ装置、ＧＰＳ衛星システムを用いて自己の位置を測位するＧＰＳ測位装置及び短距離無線通信装置の中の少なくとも一つと、加速度センサと、中央演算処理装置と、データを外部メモリに記憶させる外部メモリインターフェイスと、を少なくとも備える携帯端末装置であって、前記中央演算処理装置は、前記カメラ装置により撮像された静止画像または動的画像のデータ、前記ＧＰＳ測位装置により得られた自己の測位位置のデータ、前記短距離無線通信装置を介して送受信したデータの少なくとも一つを前記外部メモリインターフェイスを介して外部メモリに保存させ、前記中央演算処理装置は、前記加速度センサにより検出された加速度が予め定められた閾値と等しいか、または、前記閾値よりも大きい場合、または、前記携帯端末装置のユーザからその旨の指令を受信した場合には、前記データの前記外部メモリへの保存を中止するものである携帯端末装置を提供する。
【００１０】
前記外部メモリインターフェイスは一定時間分の前記データを前記外部メモリに保存し、前記一定時間分のデータを超過したデータに関しては、古いデータから順に新しいデータで上書きするものであることが好ましい。
【００１１】
前記中央演算処理装置は、前記カメラ装置により撮像された静止画像または動的画像のデータを、それらの画像が撮像された時刻とともに、前記外部メモリに保存するものであることが好ましい。
【００１２】
前記携帯端末装置は、例えば、携帯電話装置として構成することができる。
【００１３】
本発明は、さらに、静止画像及び動的画像を撮影するカメラ装置、ＧＰＳ衛星システムを用いて自己の位置を測位するＧＰＳ測位装置及び短距離無線通信装置の中の少なくとも一つと、加速度センサと、を備える携帯端末装置をデータレコーダとして使用する方法であって、前記カメラ装置により撮像された静止画像または動的画像のデータ、前記ＧＰＳ測位装置により得られた自己の測位位置のデータ、前記短距離無線通信装置を介して送受信したデータの少なくとも一つを外部メモリに保存させる第一の過程と、前記加速度センサにより検出された加速度が予め定められた閾値と等しいか、または、前記閾値よりも大きい場合、または、前記携帯端末装置のユーザからその旨の指令を発信した場合には、前記データの前記外部メモリへの保存を中止する第二の過程と、を備える携帯端末装置をデータレコーダとして使用する方法を提供する。
【００１４】
前記第一の過程において、前記外部メモリには一定時間分の前記データが保存され、前記一定時間分のデータを超過したデータに関しては、古いデータから順に新しいデータで上書きされるものであることが好ましい。
【００１５】
前記第一の過程において、前記カメラ装置により撮像された静止画像または動的画像のデータは、それらの画像が撮像された時刻とともに、前記外部メモリに保存されるものであることが好ましい。
【００１６】
本発明は、さらに、静止画像及び動的画像を撮影するカメラ装置、ＧＰＳ衛星システムを用いて自己の位置を測位するＧＰＳ測位装置及び短距離無線通信装置の中の少なくとも一つと、加速度センサと、を備える携帯端末装置をデータレコーダとして使用する方法をコンピュータに実行させるためのプログラムであって、前記プログラムが行う処理は、前記カメラ装置により撮像された静止画像または動的画像のデータ、前記ＧＰＳ測位装置により得られた自己の測位位置のデータ、前記短距離無線通信装置を介して送受信したデータの少なくとも一つを外部メモリに保存させる第一の処理と、前記加速度センサにより検出された加速度が予め定められた閾値と等しいか、または、前記閾値よりも大きい場合、または、前記携帯端末装置のユーザからその旨の指令を発信した場合には、前記データの前記外部メモリへの保存を中止する第二の処理と、からなるものであるプログラムを提供する。
【発明の効果】
【００１７】
本発明によれば、ユーザは、何らの変更を加えることなく、自己の携帯電話装置その他の携帯端末装置をデータレコードとして使用することが可能になる。
【００１８】
すなわち、本発明に係る携帯端末装置は、ユーザがデータレコーダ機能をＯＦＦにした時点から遡って一定期間のデータを記録することができるため、記録しておきたい瞬間のデータを確実に記録することが可能である。
【００１９】
さらには、本発明に係る携帯電話装置に内蔵されている加速度センサが検出した加速度の大きさによって本携帯電話装置のデータレコーダしての機能をＯＦＦにすることができるため、事故や災害などで本携帯電話装置に衝撃が加わるまでの一定期間の記録を保存することが可能である。
【００２０】
また、位置情報や動画、短距離無線通信装置を介して接続された外部周辺機器からの情報が本携帯電話装置に集中的に記録・保存されるため、データレコーダとしての本携帯電話装置を他のシステムに容易に組み入れることが可能である。
【発明を実施するための最良の形態】
【００２１】
図１（Ａ）は本発明の一実施形態に係る携帯電話装置２００を前方から見た場合の斜視図であり、図１（Ｂ）は本発明の一実施形態に係る携帯電話装置２００を後方から見た場合の斜視図である。
【００２２】
図１（Ａ）及び図１（Ｂ）に示すように、本実施形態に係る携帯電話装置２００は、携帯電話装置２００のほぼ半分をなす第一部分２２１と、携帯電話装置２００のほぼ半分をなす第二部分２２２と、第一部分２２１と第二部分２２２とを相互に回動可能に連結するヒンジ部分２２３と、から構成されている。
【００２３】
すなわち、本実施形態に係る携帯電話装置２００は、いわゆる折り畳み式の携帯電話装置である。
【００２４】
ヒンジ部分２２３は、第一部分２２１または第二部分２２２の一部として形成されてもよく、あるいは、第一部分２２１及び第二部分２２２とは別個の独立の部品として形成されてもよい。
【００２５】
図１（Ａ）に示すように、第一部分２２１の上端にはアンテナ２１２が取り付けられている。また、第一部分２２１の前面（携帯電話装置２００を折り畳んだときに、第二部分２２２と対向する側の面）には液晶表示装置２０３の表示画面が配置されており、さらに、液晶表示装置２０３の表示画面の上方にはスピーカ２１０が設けられている。
【００２６】
図１（Ａ）に示すように、第二部分２２２の前面（携帯電話装置２００を折り畳んだときに、第一部分２２１と対向する側の面）には、キー入力回路２０４を構成する各種キーが配列されており、各種キーの下方にはマイク１１１が配置されている。
【００２７】
また、図１（Ｂ）に示すように、第二部分２２２の背面（携帯電話装置２００を折り畳んだときに、第一部分２２１とは対向しない側の面）には、ヒンジ部分２２３に近い位置において、カメラ２０５が配置されている。
【００２８】
図２は、本実施形態に係る携帯電話装置２００の構造を示すブロック図である。
【００２９】
図２に示すように、本実施形態に係る携帯電話装置２００は、中央演算処理装置（ＣＰＵ）２０１と、内蔵メモリ２０２と、液晶表示装置（ＬＣＤ）２０３と、キー入力回路２０４と、カメラ２０５と、ＧＰＳ測位装置２０６と、短距離無線通信装置２０７と、加速度センサ２０８と、外部メモリインターフェイス２０９と、スピーカ２１０と、マイク２１１と、アンテナ２１２と、無線部２１３と、を備えている。
【００３０】
中央演算処理装置２０１は、本実施形態に係る携帯電話装置２００の全体の作動を制御する。具体的には、内蔵メモリ２０２、液晶表示装置２０３、キー入力回路２０４、カメラ２０５、ＧＰＳ測位装置２０６、短距離無線通信装置２０７、加速度センサ２０８、外部メモリインターフェイス２０９及び無線部２１３の動作を制御する。
【００３１】
内蔵メモリ２０２は、中央演算処理装置２０１の動作を制御する制御プログラムを格納するほか、電話帳、メール、スケジュール、メモ、音声、画像、動画などの様々なデータを格納する。
【００３２】
液晶表示装置２０３は、第一部分２２１に配置されている表示スクリーンに各種データを表示する。例えば、キー入力回路２０４を介してユーザが入力したデータ、相手方の携帯電話装置から入力したメールの内容、その他ユーザが指定した各種データを表示スクリーンに表示する。
【００３３】
キー入力回路２０４は、テンキー、機能キーその他の各種キーを含んだキーボードからなるボタンスイッチ群から構成されている。
【００３４】
カメラ２０５は、第二部分２２２の背面に配置されているレンズを介して静止画像及び動的画像を撮像する。撮像された画像データは中央演算処理装置２０１を介して内蔵メモリ２０２に保存される。
【００３５】
ＧＰＳ測位装置２０６は、ＧＰＳ（Ｇｌｏｂａｌ  Ｐｏｓｉｔｉｏｎｉｎｇ  Ｓｙｓｔｅｍ）衛星からの信号を受信し、本実施形態に係る携帯電話装置２００の現在位置を測位するモジュールである。
【００３６】
短距離無線通信装置２０７は、それに対応する外部周辺機器との間においてデータの送受信を行う。本実施形態に係る携帯電話装置２００においては、短距離無線通信装置２０７はブルートュース（Ｂｌｕｅｔｏｏｔｈ（登録商標））を用いた通信装置として構成される。
【００３７】
加速度センサ２０８は、本実施形態に係る携帯電話装置２００に生じた加速度を検出する。検出された加速度を示すデータは中央演算処理装置２０１を介して内蔵メモリ２０２に保存される。
【００３８】
本実施形態に係る携帯電話装置２００に生じた加速度とは、例えば、本実施形態に係る携帯電話装置２００に衝撃が加えられたとき、ひいては、携帯電話装置２００のユーザに対して何らかの衝撃が加えられたときに生じる加速度である。
【００３９】
外部メモリインターフェイス２０９は、中央演算処理装置２０１からの指令を受けて、カメラ２０５、ＧＰＳ測位装置２０６、短距離無線通信装置２０７または加速度センサ２０８が集めた情報を外部メモリ２１４にリングバッファ状に記録保存するインターフェイスである。
【００４０】
無線部２１３は、アンテナ２１２を介して相手方の携帯電話装置から受信したデータを復調する。受信したデータが音声信号である場合には、その音声信号により表される音声はスピーカ２１０を介して出力される。また、受信したデータが画像信号である場合には、その画像信号により表される画像は中央演算処理装置２０１を介して液晶表示装置２０３の表示スクリーンに表示される。
【００４１】
さらに、無線部２１３はユーザがマイク２１１を介して入力した音声あるいはキー入力回路２０４を介して入力されたデータを変調し、アンテナ２１２を介して相手方の携帯電話装置に送信する。
【００４２】
図３は、本実施形態に係る携帯電話装置２００の動作を示すフローチャートである。
【００４３】
以下、図３を参照して、の動作を説明する。
【００４４】
本実施形態に係る携帯電話装置２００の液晶表示装置２０３の表示スクリーンには、待ち受け画面において、あるいは、ユーザがキー入力回路２０４を構成する複数のキーのうちの所定のキーを押下すると、携帯電話装置２００をデータレコーダとして使用するか否かの問い合わせ、すなわち、データレコーダ機能をＯＮ設定にするか否かの問い合わせが表示される（ステップＳ１）。
【００４５】
ユーザがデータレコーダ機能をＯＮ設定にしない場合には（ステップＳ１のＮＯ）、携帯電話装置２００はデータレコーダとしては使用されない。
【００４６】
ユーザがデータレコーダ機能のＯＮ設定を選択した場合には（ステップＳ１のＹＥＳ）、中央演算処理装置２０１は携帯電話装置２００をデータレコーダとして使用するデータレコーダ機能をＯＮに設定する（ステップＳ２）。
【００４７】
次いで、中央演算処理装置２０１は携帯電話装置２００に内蔵されている時計（図示せず）から現在時刻を読み出す（ステップＳ３）。
【００４８】
次いで、中央演算処理装置２０１は、ＧＰＳ測位装置２０６から読み出した測位データに基づいて、携帯電話装置２００の現在位置を計算し、携帯電話装置２００の現在位置を示す経度及び緯度を示す緯度経度データを作成する（ステップＳ４）。
【００４９】
次いで、中央演算処理装置２０１は、カメラ２０５から入力された画像データ及びマイク２１１から入力された音声データを３ＧＰＰまたはＭＰＥＧ４などの圧縮フォーマットにエンコードする（ステップＳ５）。
【００５０】
次いで、中央演算処理装置２０１は、エンコードしたデータを音声付動画データとして外部メモリインターフェイス２０９を介して外部メモリ２１４に保存を開始する。
【００５１】
短距離無線通信装置２０７に接続された外部機器が存在する場合には、中央演算処理装置２０１はその外部機器からの情報も取得し（ステップＳ６）、上記の音声付動画データとともに、外部メモリインターフェイス２０９を介して外部メモリ２１４に保存する（ステップＳ７）。
【００５２】
外部メモリインターフェイス２０９を介して外部メモリ２１４に記録されるデータは外部メモリ２１４内にリングバッファとして保存される。このため、バッファがフルになると、古い情報から順に新しい情報が上書き保存される。
【００５３】
従って、データレコーダ機能がＯＦＦになるまでの一定時間の記録を外部メモリ２１４内に保持することが可能である。
【００５４】
外部メモリ２１４へのデータの記録動作は、データレコーダ機能がＯＦＦに設定されるまで継続して行われる（ステップＳ９）。
【００５５】
データレコーダ機能がＯＦＦに設定されるのは次の２通りの場合がある。
【００５６】
第一には、ユーザが携帯電話装置２００のメニューからデータレコーダ機能をＯＦＦに設定した場合である。
【００５７】
第二には、加速度センサ２０８からの入力データに基づいて、中央演算処理装置２０１がデータレコーダ機能をＯＦＦに設定した場合である。
【００５８】
すなわち、加速度センサ２０８は常時携帯電話装置２００に生じる加速度を検出しており、検出された加速度の値は中央演算処理装置２０１に送信される。中央演算処理装置２０１は加速度センサ２０８から送信されてきた加速度の値が予め定められた閾値と等しいか否か、あるいは、閾値よりも大きいか否かを判定する（ステップＳ８）。
【００５９】
加速度センサ２０８から送信されてきた加速度の値が予め定められた閾値よりも小さい場合には、中央演算処理装置２０１はデータレコーダ機能をＯＦＦに設定しない。
【００６０】
加速度センサ２０８から送信されてきた加速度の値が予め定められた閾値と等しいか、あるいは、閾値よりも大きい場合には、中央演算処理装置２０１はデータレコーダ機能をＯＦＦに設定する。
【００６１】
加速度センサ２０８から送信されてきた加速度の値が予め定められた閾値と等しいか、あるいは、閾値よりも大きい場合とは、加速度センサ２０８ひいては携帯電話装置２００のユーザに対して大きな衝撃が加えられたこと、すなわち、事故その他の何らかのアクシデントが生じたことが想定される場合である。
【００６２】
以上のように、中央演算処理装置２０１は携帯電話装置２００のデータレコーダ機能をＯＦＦにするか否かを判定する（ステップＳ９）。
【００６３】
中央演算処理装置２０１が携帯電話装置２００のデータレコーダ機能をＯＦＦに設定しないと判定した場合には（ステップＳ９のＮＯ）、上述のステップＳ３乃至ステップＳ８を繰り返して実施する。
【００６４】
中央演算処理装置２０１が携帯電話装置２００のデータレコーダ機能をＯＦＦに設定すると判定した場合には（ステップＳ９のＹＥＳ）、中央演算処理装置２０１は携帯電話装置２００のデータレコーダ機能をＯＦＦに設定する（ステップＳ１０）。
【００６５】
携帯電話装置２００のデータレコーダ機能がＯＦＦに設定された時点において、上記のデータの外部メモリ２１４への保存は停止される。
【００６６】
外部メモリ２１４に保存されたデータは、外部メモリ２１４を外部メモリインターフェイス２０９から取り出し、他の機器（例えば、パーソナルコンピュータ）において外部メモリ２１４内のデータを読み出し、解析することによって、時刻データ、緯度経度データ、動画データ、外部接続機器データを同期再生することが可能である。
【００６７】
すなわち、記録された場所の地図表示や音声映像、さらに、外部接続機器のインフォメーションデータの同期再生を行うことが可能となる。
【００６８】
換言すれば、携帯電話装置２００のユーザに事故その他の何らかのアクシデントが起きた場合に、その直前まで携帯電話装置２００が収集したデータを使用することが可能になる。
【００６９】
以上説明したように、本実施形態に係る携帯電話装置２００によれば、以下に記載するような効果を奏する。
【００７０】
第１の効果は、ユーザがデータレコーダ機能をＯＦＦにした時点から遡って一定期間のデータを記録できるため、記録しておきたい瞬間のデータを確実に記録することが可能であることである。
【００７１】
第２の効果は、携帯電話装置２００に内蔵されている加速度センサ２０８が検出した加速度の大きさによってデータレコーダ機能をＯＦＦにすることができるため、事故や災害などで携帯電話装置２００に衝撃が加わるまでの一定期間の記録を保存することができることである。
【００７２】
第３の効果は、位置情報や動画、短距離無線通信装置２０７を介して接続された外部周辺機器からの情報が携帯電話装置２００に集中的に記録・保存されるため、データレコーダとしての携帯電話装置２００を他のシステムに容易に組み入れることが可能であることである。
【００７３】
第４の効果は、位置情報や動画、短距離無線通信装置２０７を介して接続された外部周辺機器からの情報が外部メモリインターフェイス２０９を介して外部メモリ２１４に保存されるため、他のコンピュータのデータ共有が容易であり、コンピュータ用ソフトウェアとの親和性が高いことである。
【００７４】
第５の効果は、位置情報や動画、短距離無線通信装置２０７を介して接続された外部周辺機器からの情報が携帯電話装置２００において集中的に管理されるため、携帯電話装置２００を介してインターネット網と接続を行うことにより、それらの情報を用いた新たなサービスの享受が容易となることである。
【００７５】
第６の効果は、短距離無線通信装置２０７を介して接続された接続された外部周辺機器が存在しない場合においても、携帯電話装置２００単独で位置情報や音声付き動画の記録再生が可能であるため、ユーザの日常生活上の記録が可能であり、聞き損ねや見損ねた情報の再確認を行うことや、長く残しておきたい場面を逃すことなく記録することが可能であることである。
【００７６】
本実施形態に係る携帯電話装置２００は上記の構成に限定されるものではなく、種々の改変が可能である。
【００７７】
本実施形態に係る携帯電話装置２００は、カメラ２０５と、ＧＰＳ測位装置２０６と、短距離無線通信装置２０７とを備えるものとして構成されているが、これらの全てを備えることは必ずしも必要ではなく、カメラ２０５、ＧＰＳ測位装置２０６及び短距離無線通信装置２０７のうち、少なくとも何れか一つを有していればよい。
【００７８】
また、本実施形態に係る携帯電話装置２００においては、短距離無線通信装置２０７はブルートュース（Ｂｌｕｅｔｏｏｔｈ（登録商標））を用いた通信装置として構成されているが、例えば、短距離無線通信装置２０７は赤外線を用いた短距離無線通信装置として構成することも可能である。
【００７９】
あるいは、アクティブＲＦＩＤ、ＤＳＲＣ、ＷｉＦｉ、ＮＦＣ、ＺｉｇＢｅｅなどの短距離無線通信技術を活用することも可能である。
【００８０】
また、外部メモリ２１４の容量は有限であるため、データをより長時間記録する場合には、ユーザがキー入力回路２０４を介して記録すべきデータを指定することにより、所望のデータのみをデータレコーダとしての携帯電話装置２００により収集及び保存することも可能である。
【００８１】
また、上述の実施形態においては、本発明を携帯電話装置２００に適用したが、本発明の適用対象は携帯電話装置には限定されない。他の機器と無線通信を行うことができる携帯式の端末装置であれば、どのような端末装置に対しても適用することが可能である。
【００８２】
以下、本実施形態に係る携帯電話装置２００の適用例を挙げる。
【００８３】
図４は本実施形態に係る携帯電話装置２００を自動車に適用した場合の概要を示すブロック図であり、図５は本実施形態に係る携帯電話装置２００を自動車に適用した場合の概念を示すイメージ図である。
【００８４】
自動車の車内に取り付けられている各ＥＣＵ（Ｅｌｅｃｔｒｏｎｉｃ  Ｃｏｎｔｒｏｌ  Ｕｎｉｔ：電子制御ユニット）、例えば、情報系ＥＣＵ４３、パワートレイン系ＥＣＵ４４、ボディ系ＥＣＵ４５、セーフティ系ＥＣＵ４６などは、配線の軽量化のため、図４に示すように、ＣＡＮ（Ｃｏｎｔｏｒｏｌｌｅｒ  Ａｒｅａ  Ｎｅｔｗｏｒｋ）やＬｉｎ（Ｌｏｃａｌ  Ｉｎｔｅｒｃｏｎｎｅｃｔ  Ｎｅｔｗｏｒｋ）、ＦｌｅｘＲａｙなどの様々な車内ＬＡＮ４７で接続されていることが多い。
【００８５】
例えば、図４に示すように、車内ＬＡＮ４７に短距離無線通信用モジュール４２を取り付けることにより、容易にフライトレコーダに類似したシステムを構築することが可能になる。
【００８６】
すなわち、図５に示すように、ユーザは乗用車５０のフロントガラス上方の車内側表面に携帯電話装置２００を取り付け、キー入力回路２０４を介して携帯電話装置２００のデータレコーダ機能をＯＮに設定にする。
【００８７】
これにより、現在地データと車前方の映像と音声、さらに、短距離無線通信用モジュール４２経由によるタイヤの車輪速データやステアリングの操舵角データ、ブレーキ制御データ、アクセル開度データなどの走行制御データの他、ワイパー操作などの情報も携帯電話装置２００に記録することができる。
【００８８】
万が一、乗用車５０に事故が起きた場合には、中央演算処理装置２０１は、加速度センサ２０８から送信される加速度の値を示す信号における急峻な変化を検出することにより（すなわち、加速度センサ２０８から送信される加速度の値が閾値を越えたことを検出することにより）、データレコーダ機能をＯＦＦに設定する。このため、事故発生当時の状況を詳細に外部メモリ２１４に記録保存しておくことが可能となる。
【００８９】
以上のように、本実施形態に係る携帯電話装置２００は、乗用車５０に取り付けることにより、その乗用車５０に対するドライブレコーダとしての機能を奏する。
【００９０】
また、本実施形態に係る携帯電話装置２００は、短距離無線通信装置２０７を介して、医療機器と接続させることも可能である。
【００９１】
例えば、人体に装着した脈拍センサや体温計からの情報や血圧計などの機器からの情報を集めて、患者の位置情報や動画情報と併せて、携帯電話装置２００を介して医療センターのサーバーに情報を送ることにより、遠隔地にいる患者の容体をモニターすることができ、緊急事態に素早い応対を行うことが可能になる
図６は、携帯電話装置２００のユーザが日常生活において、携帯電話装置２００をデータレコーダとして使用する場合の一例を示す概略図である。
【００９２】
図６に示すように、携帯電話装置２００を日常生活においてデータレコーダとして使用する場合には、キー入力回路２０４を介して携帯電話装置２００のデータレコーダ機能をＯＮに設定にした後、カメラ２０５のレンズが正面を向くようにして、ユーザの衣服の胸ポケット５１に携帯電話装置２００を差し込む。
【００９３】
これにより、携帯電話装置２００を、通常の携帯電話機として使用することができることの他に、ユーザの日常生活におけるアクシデントを記録するためのデータレコーダとしても使用することが可能である。
【産業上の利用可能性】
【００９４】
本発明に係る携帯端末装置は、自動車に搭載することにより、その自動車に対するドライブレコーダとして使用することができる。
【００９５】
さらには、本発明に係る携帯端末装置は、患者の状態に関する情報を遠隔地の医療センターに送信することにより、遠隔地にある医療センターが患者の容態をモニターすることを可能にする。
【００９６】
また、ユーザが胸ポケットその他の場所に本発明に係る携帯端末装置を収納しておくだけで、本発明に係る携帯端末装置をユーザの日常生活を記録するデータレコーダとしても使用することができる。
【００９７】
このように、本発明に係る携帯端末装置は何らかのアクシデントを記録しておく必要性がある全ての分野に適用することが可能である。
【図面の簡単な説明】
【００９８】
【図１】図１（Ａ）は本発明の一実施形態に係る携帯電話装置を前方から見た場合の斜視図であり、図１（Ｂ）は本発明の一実施形態に係る携帯電話装置を後方から見た場合の斜視図である。
【図２】図２は本発明の一実施形態に係る携帯電話装置の構造を示すブロック図である。
【図３】図３は本発明の一実施形態に係る携帯電話装置の動作を示すフローチャートである。
【図４】図４は本発明の一実施形態に係る携帯電話装置を自動車に適用した場合の概要を示すブロック図である。
【図５】図５は本発明の一実施形態に係る携帯電話装置を自動車に適用した場合の概念を示すイメージ図である。
【図６】図６は、本発明の一実施形態に係る携帯電話装置のユーザが日常生活において、本携帯電話装置をデータレコーダとして使用する場合の一例を示す概略図である。
【符号の説明】
【００９９】
２００  本発明の一実施形態に係る携帯電話装置
２２１  第一部分
２２２  第二部分
２２３  ヒンジ部分
２０１  中央演算処理装置（ＣＰＵ）
２０２  内蔵メモリ
２０３  液晶表示装置（ＬＣＤ）
２０４  キー入力回路
２０５  カメラ
２０６  ＧＰＳ測位装置
２０７  短距離無線通信装置
２０８  加速度センサ
２０９  外部メモリインターフェイス
２１０  スピーカ
２１１  マイク
２１２  アンテナ
２１３  無線部
２１４  外部メモリ
４２  短距離無線通信用モジュール
４３  情報系ＥＣＵ
４４  パワートレイン系ＥＣＵ
４５  ボディ系ＥＣＵ
４６  セーフティ系ＥＣＵ
５０  乗用車
【図１】
2008236385.tif 000003
【図２】
2008236385.tif 000004
【図３】
2008236385.tif 000005
【図４】
2008236385.tif 000006
【図５】
2008236385.tif 000007
【図６】
2008236385.tif 000008